【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
映像データを構成する複数のフレーム画像のうち、第１のフレーム画像から第１のブロックを抽出し、前記第１のフレーム画像との間に第１の時間長を有する第２のフレーム画像から第１の探索対象ブロックを抽出する抽出手段と、
前記抽出された前記第１のブロック及び前記第１の探索対象ブロックを前記第１の時間長分記憶する記憶手段と、
前記記憶された第１の探索対象ブロックを前記第２のフレーム画像内で移動させて、前記記憶された前記第１のブロックとの類似度が最も高い第２のブロックを探索する探索手段と、
前記記憶された第１のブロックと前記探索された第２のブロックとの間の第１の動きベクトルを検出し、当該動きベクトルを基に前記映像データ中のカメラ動作により生じる第１の映像特徴を検出する第１の検出手段と、
前記記憶された第１のブロックと前記第１の探索対象ブロックとの間の輝度信号または色差信号の第１の差分を検出し、当該第１の差分を基に前記映像データ中の映像編集により生じる第２の映像特徴を検出する第２の検出手段と
を具備する電子機器。
【請求項２】
請求項１に記載の電子機器であって、
前記抽出手段は、前記第１のフレーム画像との間に前記第１の時間長よりも長い第２の時間長を有する第３のフレーム画像から第２の探索対象ブロックを抽出し、
前記記憶手段は、前記第２の探索対象ブロックを前記第２の時間長分記憶し、
前記探索手段は、前記抽出された第２の探索対象ブロックを前記第３のフレーム画像内で移動させて、前記第１のブロックとの類似度が最も高い第３のブロックを探索し、
前記第１の検出手段は、前記第１の動きベクトルと前記第３のブロックとの間の第２の動きベクトルを検出し、前記検出された第１及び第２の動きベクトルを基に前記第１の映像特徴を検出し、
前記第２の検出手段は、前記第１のブロックと前記第２の探索対象ブロックとの間の輝度信号または色差信号の第２の差分を検出し、前記第１及び第２の差分を基に前記第２の映像特徴を検出する
電子機器。
【請求項３】
請求項１に記載の電子機器であって、
前記探索手段は、前記第１のブロックと前記移動された第１の探索対象ブロックとの間の前記輝度信号または色差信号の差分を検出して、当該差分が所定の閾値以内であるか否かを基に前記類似度を判断して前記第２のブロックを探索し、
前記第２の検出手段は、前記探索手段により検出された、前記第１のブロックと前記移動された第１の探索対象ブロックとの間の前記差分を前記第１の差分として検出する
電子機器。
【請求項４】
請求項１に記載の電子機器であって、
前記第２の映像特徴はフェードまたはカットであり、
前記第２の検出手段は、前記第１のブロックの前記輝度信号または色差信号の第１の周波数成分と、前記第１の探索対象ブロックの前記輝度信号または色差信号の第２の周波数成分とを検出し、前記第１の差分と、前記第１の周波数成分と第２の周波数成分との比較結果とを基に前記フェードまたはカットを検出する
電子機器。
【請求項５】
請求項１に記載の電子機器であって、
前記第２の映像特徴はフレーム間の類似性であり、
前記第２の検出手段は、前記第１の差分を基に前記第１のフレームと第２のフレームとの前記類似性を判断し、類似すると判断された前記第１及び第２のフレームに同一の識別情報を付与し、
当該電子機器は、
前記第１の映像特徴が検出された前記第１及び第２のフレームと、前記同一の識別情報を付与された前記第１及び第２のフレームとを前記映像データから抽出して第２の映像データを生成する手段
を更に具備する電子機器。
【請求項６】
映像データを構成する複数のフレーム画像のうち、第１のフレーム画像から第１のブロックを抽出し、前記第１のフレーム画像との間に所定の時間長を有する第２のフレーム画像から探索対象ブロックを抽出し、
前記抽出された前記第１のブロック及び前記探索対象ブロックを前記所定の時間長分記憶し、
前記記憶された第１の探索対象ブロックを前記第２のフレーム画像内で移動させて、前記記憶された前記第１のブロックとの類似度が最も高い第２のブロックを探索し、
前記記憶された第１のブロックと前記探索された第２のブロックとの間の動きベクトルを検出し、当該動きベクトルを基に前記映像データ中のカメラ動作により生じる第１の映像特徴を検出し、
前記記憶された第１のブロックと前記探索対象ブロックとの間の輝度信号または色差信号の差分を検出し、当該差分を基に前記映像データ中の映像編集により生じる第２の映像特徴を検出する
映像特徴検出方法。
【請求項７】
電子機器に、
映像データを構成する複数のフレーム画像のうち、第１のフレーム画像から第１のブロックを抽出し、前記第１のフレーム画像との間に所定の時間長を有する第２のフレーム画像から探索対象ブロックを抽出するステップと、
前記抽出された前記第１のブロック及び前記探索対象ブロックを前記所定の時間長分記憶するステップと、
前記記憶された第１の探索対象ブロックを前記第２のフレーム画像内で移動させて、前記記憶された前記第１のブロックとの類似度が最も高い第２のブロックを探索するステップと、
前記記憶された第１のブロックと前記探索された第２のブロックとの間の動きベクトルを検出し、当該動きベクトルを基に前記映像データ中のカメラ動作により生じる第１の映像特徴を検出するステップと、
前記記憶された第１のブロックと前記探索対象ブロックとの間の輝度信号または色差信号の差分を検出し、当該差分を基に前記映像データ中の映像編集により生じる第２の映像特徴を検出するステップと
を実行させるためのプログラム。
【手続補正２】
【補正対象書類名】明細書
【補正対象項目名】０００９
【補正方法】変更
【補正の内容】
【０００９】
上述の課題を解決するため、本発明の主たる観点に係る電子機器は、映像データを構成する複数のフレーム画像のうち、第１のフレーム画像から第１のブロックを抽出し、前記第１のフレーム画像との間に第１の時間長を有する第２のフレーム画像から第１の探索対象ブロックを抽出する抽出手段と、前記抽出された前記第１のブロック及び前記第１の探索対象ブロックを前記第１の時間長分記憶する記憶手段と、前記記憶された第１の探索対象ブロックを前記第２のフレーム画像内で移動させて、前記記憶された前記第１のブロックとの類似度が最も高い第２のブロックを探索する探索手段と、前記記憶された第１のブロックと前記探索された第２のブロックとの間の第１の動きベクトルを検出し、当該動きベクトルを基に前記映像データ中のカメラ動作により生じる第１の映像特徴を検出する第１の検出手段と、前記記憶された第１のブロックと前記第１の探索対象ブロックとの間の輝度信号または色差信号の第１の差分を検出し、当該第１の差分を基に前記映像データ中の映像編集により生じる第２の映像特徴を検出する第２の検出手段とを具備する。
【手続補正３】
【補正対象書類名】明細書
【補正対象項目名】００１４
【補正方法】変更
【補正の内容】
【００１４】
上記電子機器において、前記探索手段は、前記第１のブロックと前記移動された第１の探索対象ブロックとの間の前記輝度信号または色差信号の差分を検出して、当該差分が所定の閾値以内であるか否かを基に前記類似度を判断して前記第２のブロックを探索し、前記探索手段により検出された、前記第１のブロックと前記移動された第１の探索対象ブロックとの間の前記差分を前記第１の差分として検出するようにしてもよい。
【手続補正４】
【補正対象書類名】明細書
【補正対象項目名】００１６
【補正方法】変更
【補正の内容】
【００１６】
上記電子機器において、前記第２の映像特徴はフェードまたはカットであり、前記第２の検出手段は、前記第１のブロックの前記輝度信号または色差信号の第１の周波数成分と、前記第１の探索対象ブロックの前記輝度信号または色差信号の第２の周波数成分とを検出し、前記第１の差分と、前記第１の周波数成分と第２の周波数成分との比較結果とを基に前記フェードまたはカットを検出するようにしても構わない。
【手続補正５】
【補正対象書類名】明細書
【補正対象項目名】００２０
【補正方法】変更
【補正の内容】
【００２０】
本発明の他の観点に係る映像特徴検出方法は、映像データを構成する複数のフレーム画像のうち、第１のフレーム画像から第１のブロックを抽出し、前記第１のフレーム画像との間に所定の時間長を有する第２のフレーム画像から探索対象ブロックを抽出し、前記抽出された前記第１のブロック及び前記探索対象ブロックを前記所定の時間長分記憶し、前記記憶された探索対象ブロックを前記第２のフレーム画像内で移動させて、前記記憶された前記第１のブロックとの類似度が最も高い第２のブロックを探索し、前記記憶された第１のブロックと前記探索された第２のブロックとの間の動きベクトルを検出し、当該動きベクトルを基に前記映像データ中のカメラ動作により生じる第１の映像特徴を検出し、前記記憶された第１のブロックと前記探索対象ブロックとの間の輝度信号または色差信号の第１の差分を検出し、当該第１の差分を基に前記映像データ中の映像編集により生じる第２の映像特徴を検出するものである。
【手続補正６】
【補正対象書類名】明細書
【補正対象項目名】００２１
【補正方法】変更
【補正の内容】
【００２１】
本発明のまた別の観点に係るプログラムは、電子機器に、映像データを構成する複数のフレーム画像のうち、第１のフレーム画像から第１のブロックを抽出し、前記第１のフレーム画像との間に所定の時間長を有する第２のフレーム画像から探索対象ブロックを抽出するステップと、前記抽出された前記第１のブロック及び前記第１の探索対象ブロックを前記所定の時間長分記憶するステップと、前記記憶された探索対象ブロックを前記第２のフレーム画像内で移動させて、前記記憶された前記第１のブロックとの類似度が最も高い第２のブロックを探索するステップと、前記記憶された第１のブロックと前記探索された第２のブロックとの間の動きベクトルを検出し、当該動きベクトルを基に前記映像データ中のカメラ動作により生じる第１の映像特徴を検出するステップと、前記記憶された第１のブロックと前記探索対象ブロックとの間の輝度信号または色差信号の第１の差分を検出し、当該第１の差分を基に前記映像データ中の映像編集により生じる第２の映像特徴を検出するステップとを実行させるためのものである。